(57)【要約】【課題】  撮像素子を用いた光照射手段の故障判断を可能にする画像形成装置及び方法を提供する。【解決手段】  所定方向に搬送される記録材の種類を判別し（Ｓ１０４）、転写ローラ位置に記録材が到達した時に転写電流を検出し（Ｓ１１０）、記録材が光透過性の高い記録材である場合に、検出した転写電流の値が所定値より大きいかどうかを比較し（Ｓ１１１）、転写電流値が所定電流値より大きい場合には、記録材の表面に光を照射する光照射手段が故障していると判断する（Ｓ１１２）。【選択図】  図１
2006201607.tif 000002
【特許請求の範囲】
【請求項１】
電流検知手段と、
記録材の表面に光を照射する光照射手段と、
前記光照射手段から照射された光を、前記記録材を介して受光する受光手段と、
前記受光手段の出力を基に前記記録材の種類を判別する記録材判別手段と、
前記記録材判別手段の判別結果と前記電流検知手段による検知電流に基づいて前記光照射手段の故障を判断する故障判断手段と
を備えることを特徴とする画像形成装置。
【請求項２】
前記検知電流は、転写電流又は吸着電流であることを特徴とする請求項１記載の画像形成装置。
【請求項３】
所定方向に搬送される記録材に現像剤像を転写する転写手段と、
前記転写手段に高電圧を印加するための高圧電源と、
前記高圧電源から前記転写手段への転写電流を検知する電流検知手段と、
前記記録材の表面に光を照射する光照射手段と、
前記記録材の表面の映像として読み取り出力する複数の画素を有した読取手段と、
前記読取手段の出力を基に前記記録材の種類を判別する記録材判別手段と、
前記記録材判別手段の判別結果と、検知された前記転写電流の値とに基づいて前記光照射手段の故障を判断する故障判断手段と
を備えることを特徴とする画像形成装置。
【請求項４】
前記記録材判別手段が、前記記録材が光透過性の高い記録材であると判別した場合、前記故障判断手段は、前記転写電流の値と所定の電流値とを比較した結果に基づいて前記光照射手段の故障の有無を判断することを特徴とする請求項３に記載の画像形成装置。
【請求項５】
前記故障判断手段は、前記転写電流の値が所定の電流値より大きい場合には前記光照射手段が故障していると判断することを特徴とする請求項４に記載の画像形成装置。
【請求項６】
記録材を搬送するための搬送ベルトと、
前記搬送ベルトに記録材を吸着させる吸着手段と、
前記吸着手段に高電圧を印加するための高圧電源と、
前記高圧電源から前記吸着手段への吸着電流を検知する電流検知手段と、
前記記録材の表面に光を照射する光照射手段と、
前記記録材の表面の映像として読み取り出力する複数の画素を有した読取手段と、
前記読取手段の出力を基に前記記録材の種類を判別する記録材判別手段と、
前記記録材判別手段の判別結果と、検知された前記吸着電流の値とに基づいて前記光照射手段の故障を判断する故障判断手段と
を備えることを特徴とする画像形成装置。
【請求項７】
前記記録材判別手段が、前記記録材が光透過性の高い記録材であると判別した場合、前記故障判断手段は、前記吸着電流の値と所定の電流値とを比較した結果に基づいて前記光照射手段の故障の有無を判断することを特徴とする請求項６に記載の画像形成装置。
【請求項８】
前記故障判断手段は、前記吸着電流の値が所定の電流値より大きい場合には前記光照射手段が故障していると判断することを特徴とする請求項７記載の画像形成装置。
【請求項９】
前記故障判断手段が、前記光照射手段が故障していると判断した場合に、前記光照射手段の故障を画像形成用のビデオコントローラに報知することを特徴とする請求項１から８のいずれか１に記載の画像形成装置。
【請求項１０】
前記故障判断手段が、前記光照射手段が故障していると判断した場合に、記録材判別を行わずに印字動作を行うことを特徴とした請求項１から９のいずれか１に記載の画像形成装置。
【請求項１１】
所定方向に搬送される記録材の種類を判別する手段と、
転写ローラ位置に前記記録材が到達した時に転写電流を検出する手段と、
前記記録材が光透過性の高い記録材であると判別された場合に、検出した前記転写電流値と所定の電流値とを比較する手段と、
前記転写電流値が前記所定の電流値より大きい場合には、前記記録材の表面に光を照射する光照射手段が故障していると判断する手段と
を備えることを特徴とする画像形成装置。
【請求項１２】
所定方向に搬送される記録材の種類を判別する手段と、
吸着ローラ位置に前記記録材が到達した時に吸着電流を検出する手段と、
前記記録材が光透過性の高い記録材であると判別された場合に、検出した前記吸着電流値と所定の電流値とを比較する手段と、
前記吸着電流値が前記所定の電流値より大きい場合には、前記記録材の表面に光を照射する光照射手段が故障していると判断する手段と
を備えることを特徴とする画像形成装置。
【請求項１３】
所定方向に搬送される記録材の種類を判別するステップと、
転写ローラ位置に前記記録材が到達した時に転写電流を検出するステップと、
前記記録材が光透過性の高い記録材であると判別された場合に、検出した前記転写電流値と所定の電流値とを比較するステップと、
前記転写電流値が前記所定の電流値より大きい場合には、前記記録材の表面に光を照射する光照射手段が故障していると判断するステップと
を含むことを特徴とする画像形成方法。
【請求項１４】
所定方向に搬送される記録材の種類を判別するステップと、
吸着ローラ位置に前記記録材が到達した時に吸着電流を検出するステップと、
前記記録材が光透過性の高い記録材であると判別された場合に、検出した前記吸着電流値と所定の電流値とを比較するステップと、
前記吸着電流値が前記所定の電流値より大きい場合には、前記記録材の表面に光を照射する光照射手段が故障していると判断するステップと
を含むことを特徴とする画像形成方法。
【請求項１５】
コンピュータに、
所定方向に搬送される記録材の種類を判別する手順と、
転写ローラ位置に前記記録材が到達した時に転写電流を検出する手順と、
前記記録材が光透過性の高い記録材であると判別された場合に、検出した前記転写電流値と所定の電流値とを比較する手順と、
前記転写電流値が前記所定の電流値より大きい場合には、前記記録材の表面に光を照射する光照射手段が故障していると判断する手順と
を実行させるためのプログラム。
【請求項１６】
コンピュータに、
所定方向に搬送される記録材の種類を判別する手順と、
吸着ローラ位置に前記記録材が到達した時に吸着電流を検出する手順と、
前記記録材が光透過性の高い記録材であると判別された場合に、検出した前記吸着電流値と所定の電流値とを比較する手順と、
前記吸着電流値が前記所定の電流値より大きい場合には、前記記録材の表面に光を照射する光照射手段が故障していると判断する手順と
を実行させるためのプログラム。
【発明の詳細な説明】
【技術分野】
【０００１】
本発明は、複写機、カラーレーザプリンタ等の電子写真プロセスを利用した画像形成装置、方法及びプログラムに関し、特に、画像形成装置の記録材判別手段の故障検知に関するものである。
【背景技術】
【０００２】
従来、画像記録装置の記録材判別手段として撮像素子を用いたものが提案されている。
【０００３】
以下、図７、図８、図９により従来の記録材判別手段について説明する。
【０００４】
図７は、記録材判別手段としての映像読取センサ１２３の構成図である。図７において、３３は、光照射手段のＬＥＤ(light emitting diode)であり、３４は、読取手段のＣＭＯＳセンサであり、３５、３６は、結像レンズである。
【０００５】
ＬＥＤ３３を光源とする光は、レンズ３５を介し、記録材搬送ガイド３１表面、或いは、記録材搬送ガイド３１上の記録材３２表面に対し照射される。記録材３２からの反射光は、レンズ３６を介し集光されてＣＭＯＳセンサ３４に結像される。これによって、記録材３２の表面映像を読み取る。
【０００６】
図８は、映像読取センサ１２３のＣＭＯＳセンサ３４によって読み取られる記録材３２の表面とＣＭＯＳセンサ３４からの出力を８×８画素にディジタル処理した例との関係を示す図である。上記ディジタル処理は、ＣＭＯＳセンサ３４からのアナログ出力を変換手段たるＡ／Ｄ変換（図示せず）によって８ビットの画素データに変換することによって行われる。図８において、４０は、表面の紙の繊維が比較的がさついている所謂ラフ紙である記録材Ａの表面拡大映像であり、４１は、一般に使用される所謂普通紙である記録材Ｂの表面拡大映像であり、４２は、紙の繊維の圧縮が十分になされているグロス紙である記録材Ｃの表面拡大映像である。ＣＭＯＳセンサ３４に読み込まれたこれらの映像４０〜４２がディジタル処理され図８に示す映像４３〜４５となる。このように、記録材の種類によって反射光の強度が異なるため、ディジタル処理された記録材表面の映像は異なる。これは、主に紙の表面における繊維の状態（記録材の表面状態）が異なるために起こる現象である。例えば、ＯＨＴ(overhead transparency)シートのように光透過性の高い記録材表面をＣＭＯＳセンサ３４によって読み取った場合には、ＬＥＤ３３からＯＨＴシートに照射した照射光がほとんど反射しないため、すなわち、ＯＨＴシートに照射した照射光がほとんどＣＭＯＳセンサ３４に届かないため、ディジタル処理された記録材表面の映像は、図９のように全体的に暗くなる。したがって、図９のような映像が得られた場合には、記録材はＯＨＴシートであると判定され、その判定結果に応じて定着処理条件（例えば、定着温度や定着装置を通過する記録材の搬送速度）を設定するよう制御がなされる。
【０００７】
このように、従来技術においては、ＣＭＯＳセンサ３４で記録材３２表面を読み込み、読み込んだ映像をディジタル処理した映像によって記録材の判別を行っていた。
【０００８】
【特許文献１】特開２００２−１８２５１８号公報
【特許文献２】特開２００３−０９８９３３号公報
【発明の開示】
【発明が解決しようとする課題】
【０００９】
しかしながら、上述の従来技術においては、光照射手段たるＬＥＤ３３の故障が原因で記録材３２表面への照射光量が所定値に達しない場合、言い換えると、記録材からの反射光がＣＭＯＳセンサ３４に所定量届かない場合には、図９のような映像が得られるため、判別対象の記録材をすべてＯＨＴシートのような光透過性の高い記録材と誤って判別する可能性がある。したがって、例えば、記録材が光透過性の高いものでないにもかかわらず、記録材が光透過性の高いものであると誤判別するのを防止するために、光照射手段の故障の有無を判断する必要があった。
【００１０】
本発明は、このような課題を鑑みてなされたもので、その目的は、記録材の種類の誤判別を防止するために、光照射手段の故障判断を行うことにある。
【課題を解決するための手段】
【００１１】
上記目的を達成するため、本発明の画像形成装置は、電流検知手段と、記録材の表面に光を照射する光照射手段と、光照射手段から照射された光を、記録材を介して受光する読取手段と、読取手段の出力を基に記録材の種類を判別する記録材判別手段と、記録材判別手段の判別結果と電流検知手段による検知電流に基づいて光照射手段の故障を判断する故障判断手段とを備えることを特徴とする。
【００１２】
また、本発明の画像形成装置は、所定方向に搬送される記録材に現像剤像を転写する転写手段と、転写手段に高電圧を印加するための高圧電源と、高圧電源から転写手段への転写電流を検知する電流検知手段と、記録材の表面に光を照射する光照射手段と、記録材の表面の映像として読み取り出力する複数の画素を有した読取手段と、読取手段の出力を基に記録材の種類を判別する記録材判別手段と、記録材判別手段の判別結果と、検知された転写電流の値とに基づいて光照射手段の故障を判断する故障判断手段とを備えることを特徴とする。
【００１３】
また、本発明の画像形成装置において、前述の記録材判別手段が、記録材が光透過性の高い記録材であると判別した場合、故障判断手段は、転写電流の値と所定の電流値とを比較した結果に基づいて光照射手段の故障の有無を判断することを特徴とする。
【００１４】
また、本発明の画像形成装置は、記録材を搬送するための搬送ベルトと、搬送ベルトに記録材を吸着させる吸着手段と、吸着手段に高電圧を印加するための高圧電源と、高圧電源から吸着手段への吸着電流を検知する電流検知手段と、記録材の表面に光を照射する光照射手段と、記録材の表面の映像として読み取り出力する複数の画素を有した読取手段と、読取手段の出力を基に記録材の種類を判別する記録材判別手段と、記録材判別手段の判別結果と、検知された吸着電流の値とに基づいて光照射手段の故障を判断する故障判断手段とを備えることを特徴とする。
【００１５】
また、本発明の画像形成装置において、前述の記録材判別手段が、記録材が光透過性の高い記録材であると判別した場合、故障判断手段は、吸着電流の値と所定の電流値とを比較した結果に基づいて光照射手段の故障の有無を判断することを特徴とする。
【００１６】
また、本発明の画像形成装置は、所定方向に搬送される記録材の種類を判別する手段と、転写ローラ位置に記録材が到達した時に転写電流を検出する手段と、記録材が光透過性の高い記録材であると判別された場合に、検出した転写電流値と所定の電流値とを比較する手段と、転写電流値が所定の電流値より大きい場合には、記録材の表面に光を照射する光照射手段が故障していると判断する手段とを備えることを特徴とする。
【００１７】
また、本発明の画像形成装置は、所定方向に搬送される記録材の種類を判別する手段と、吸着ローラ位置に記録材が到達した時に吸着電流を検出する手段と、記録材が光透過性の高い記録材であると判別された場合に、検出した吸着電流値と所定の電流値とを比較する手段と、吸着電流値が所定の電流値より大きい場合には、記録材の表面に光を照射する光照射手段が故障していると判断する手段とを備えることを特徴とする。
【００１８】
また、本発明の画像形成方法は、所定方向に搬送される記録材の種類を判別するステップと、転写ローラ位置に記録材が到達した時に転写電流を検出するステップと、記録材が光透過性の高い記録材であると判別された場合に、検出した転写電流値と所定の電流値とを比較するステップと、転写電流値が所定の電流値より大きい場合には、記録材の表面に光を照射する光照射手段が故障していると判断するステップとを含むことを特徴とする。
【００１９】
また、本発明の画像形成方法は、所定方向に搬送される記録材の種類を判別するステップと、吸着ローラ位置に記録材が到達した時に吸着電流を検出するステップと、記録材が光透過性の高い記録材であると判別された場合に、検出した吸着電流値と所定の電流値とを比較するステップと、吸着電流値が所定の電流値より大きい場合には、記録材の表面に光を照射する光照射手段が故障していると判断するステップとを含むことを特徴とする。
【００２０】
また、本発明のプログラムは、コンピュータに、所定方向に搬送される記録材の種類を判別する手順と、転写ローラ位置に記録材が到達した時に転写電流を検出する手順と、記録材が光透過性の高い記録材であると判別された場合に、検出した転写電流値と所定の電流値とを比較する手順と、転写電流値が所定の電流値より大きい場合には、記録材の表面に光を照射する光照射手段が故障していると判断する手順とを実行させることを特徴とする。
【００２１】
さらに、本発明のプログラムは、コンピュータに、所定方向に搬送される記録材の種類を判別する手順と、吸着ローラ位置に記録材が到達した時に吸着電流を検出する手順と、記録材が光透過性の高い記録材であると判別された場合に、検出した吸着電流値と所定の電流値とを比較する手順と、吸着電流値が所定の電流値より大きい場合には、記録材の表面に光を照射する光照射手段が故障していると判断する手順とを実行させることを特徴とする。
【発明の効果】
【００２２】
以上説明したように、本発明によれば、光照射手段の故障判断をすることができる。その理由は、例えば、光照射手段を用いた記録材の種別判定により記録材がＯＨＴシートのような光透過性の高い記録材と判別された場合であっても、所定の電流値を測定することにより記録材が光透過性の記録材でないと判断できるときには、光照射手段が故障していることがわかるからである。さらに、本発明によれば、光照射手段が故障していると判断した場合に、光照射手段の故障をビデオコントローラに報知するとともに、記録材判別を行わずに印字動作を行うことにより、故障時の使い勝手を向上させることができる。
【発明を実施するための最良の形態】
【００２３】
（実施例１）
以下、本発明の第１実施例を、図面を用いて説明する。
【００２４】
図２は本実施例のカラーレーザプリンタの構成図である。
【００２５】
カラーレーザプリンタ４０１は、記録材３２を収納するデッキ４０２を有し、デッキ４０２内の記録材３２の有無を検知するデッキ紙有無センサ４０３、デッキ４０２から記録材３２を繰り出すピックアップローラ４０４、ピックアップローラ４０４によって繰り出された記録材３２を搬送するデッキ給紙ローラ４０５、デッキ給紙ローラ４０５と対をなし、記録材３２の重送を防止するためのリタードローラ４０６を備えている。
【００２６】
デッキ給紙ローラ４０５の下流には記録材３２を同期搬送するレジストローラ対４０７、レジストローラ対への記録材Ｐの搬送状態を検知するレジ前センサ４０８が配設されている。またレジストローラ対４０７の下流には静電吸着搬送転写ベルト（以下、ＥＴＢという）４０９が配設されており、ＥＴＢ上には後述する４色（イエローＹ、マゼンタＭ、シアンＣ、ブラックＢ）分のプロセスカートリッジ４１０Ｙ、４１０Ｍ、４１０Ｃ、４１０Ｂとスキャナーユニット４２０Ｙ、４２０Ｍ、４２０Ｃ、４２０Ｂからなる画像形成部によって形成された画像が転写ローラ４３０Ｙ、４３０Ｍ、４３０Ｃ、４３０Ｂによって順次重ね合わされてゆくことによりカラー画像が形成され記録材３２上に転写搬送される。
【００２７】
下流には記録材３２上に転写されたトナー像を熱定着するために内部に加熱用のヒータ４３２を備えた定着ローラ４３３と加圧ローラ対４３４、定着ローラ４３３から記録材３２を搬送するための定着排紙ローラ対４３５、定着部からの搬送状態を検知する定着排紙センサ４３６が配設されている。
【００２８】
各スキャナ部４２０は、後述するビデオコントローラ４４０から送出される各画像信号に基づいて変調されたレーザ光を発光するレーザユニット４２１、各レーザユニット４２１からのレーザ光を各感光ドラム１０５上に走査するためのポリゴンミラー４２２とスキャナモータ４２３、結像レンズ群４２４より構成されている。
【００２９】
各プロセスカートリッジ４１０は、公知の電子写真プロセスに必要な感光ドラム１０５、帯電ローラ１０３と現像ローラ１０２、トナー格納容器４１１を具備しており、カラーレーザプリンタ４０１に対して着脱可能に構成されている。
【００３０】
ビデオコントローラ４４０は、パーソナルコンピュータ等のホストコンピュータ４４１から送出される画像データを受け取ると画像データをビットマップデータに展開し、画像形成用の画像信号を生成する。
【００３１】
カラーレーザプリンタの制御部であるＤＣコントローラ１１０は、ＲＡＭ２０７ａ、ＲＯＭ２０７ｂ、タイマ２０７ｃ、ディジタル入出力ポート２０７ｄ、Ｄ／Ａポート２０７ｅを具備したＭＰＵ（マイクロコンピュータ）２０７、及び各種入出力制御回路（不図示）等で構成されている。
【００３２】
高圧電源部１０６は、各プロセスカートリッジに対応した帯電高圧電源（不図示）、現像高圧電源（不図示）と、各転写ローラ４３０に対応した後述する転写高圧電源とで構成されている。
【００３３】
カラーレーザプリンタ４０１は、背景技術で説明した映像読取センサ１２３を備え、映像読取センサ１２３は、ピックアップローラ４０４によってデッキ４０２から給紙され搬送される記録材の表面に光を照射させて、その反射光を集光し結像させて、記録材のある所定エリアの映像を検出する。
【００３４】
なお、映像読取センサ１２３の構成に関しては、背景技術の例と重複するため、省略する。
【００３５】
次に本実施例における高圧電源部１０６内の転写高圧電源を、図３を用いて説明する。
【００３６】
図３は、転写高圧電源の構成を示すブロック図である。
【００３７】
図３において、高圧電源部１０６には定電圧電源である転写高圧電源（５００Ｂ〜５００Ｙ）が設けられており、ＤＣコントローラ１１０に配設されたＣＰＵ２０７のＤ／Ａポート２０７ｅからの電圧制御信号（ＶｃｎｔＢ〜ＶｃｎｔＹ）に応じた電圧を各転写ローラ（４３０Ｂ〜４３０Ｙ）に供給する。また転写高圧電源（５００Ｂ〜５００Ｙ）にはそれぞれ転写電流検知回路（５０１Ｂ〜５０１Ｙ）が接続されており、転写高圧電源（５００Ｂ〜５００Ｙ）から出力される電流値を検出し、検出電流に応じた電圧を電流検知信号（ＩｓｎｓＢ〜ＩｓｎｓＹ）としてＣＰＵ２０７のＡ／Ｄポート２０７fに送出している。
【００３８】
次に光照射手段たるＬＥＤ３３の故障判別制御について図１のフローチャートを用いて説明する。
【００３９】
ステップ１０１でＬＥＤ状態内部フラグ（ＥＲＲ＿ＬＥＤ）をチェックし、映像読取センサ１２３がすでに故障状態にあるかを判断し、故障状態にある場合（ＥＲＲ＿ＬＥＤ＝１）には、正しく紙種判別をすることができないため、ステップ１１３で印字モードを普通紙モードに設定し、紙種判別を行うことなく終了する。
【００４０】
尚、一般的に普通紙が使用される可能性が高いため。ステップ１１３では定着ローラ４３３の温調温度を普通紙に最適な温度に設定している。
【００４１】
ステップ１０１でＬＥＤ３３が故障状態に無い場合（ＥＥＲ＿ＬＥＤ＝０）には記録材３２が映像読取センサ１２３の位置に搬送され記録材３２の判別タイミングになるまでステップ１０２で待機し、判別タイミングとなったところで、ステップ１０３において映像読取センサ１２３で画像を読み込み、ステップ１０４において、読み込んだ画像に基づいて紙種の判別を行う。そして、ステップ１０４での紙種判別の結果に応じて各印字モードに設定するために、紙種がＯＨＴシートの場合にはステップ１０５で定着ローラ４３３の定着温度をＯＨＴシート設定とし、紙種がグロス紙である場合にはステップ１０６で定着温度をグロス紙設定とし、紙種がラフ紙である場合にはステップ１０７で定着温度をラフ紙設定とし、紙種が普通紙である場合にはステップ１０８で定着温度を普通紙設定とする。さらに、紙種がＯＨＴシートであった場合には、転写ローラ４３０Ｙ位置に記録材３２が搬送され転写タイミングがくるまでステップ１０９で待機し、転写ローラ４３０Ｙ位置に記録材３２が到達した時点、すなわち転写タイミングがきたときに、ステップ１１０においてＩｓｎｓｙ信号によって転写電流Ｉｔを検出し、ステップ１１１において、検出した転写電流Ｉｔの値が所定値Ｉｏｈｔ（ＯＨＴシートの場合の通常の転写電流値）以上であるかを比較判断する。転写電流値Ｉｔの値が所定電流値Ｉｏｈｔより大きい場合には記録材が実際にはＯＨＴシート以外であるために記録材を介して転写電流が多く流れており、ステップ１０４での紙種判別がＯＨＴシートとなったのはＬＥＤ３３の照射光量が所定光量になっていないため、すなわちＬＥＤ３３が故障しているためと判断し、ステップ１１２でＬＥＤ３３の状態判断を故障状態（ＥＲＲ＿ＬＥＤ＝１）とする。それとともにビデオコントローラ４４０にＬＥＤ３３が故障しているという情報を送信することにより、ホストコンピュータ４４１や操作パネル（不図示）を介してユーザにＬＥＤ３３の故障を報知する。そしてさらに、ステップ１１３において、定着温調温度を普通紙温調に設定し終了する。
【００４２】
また、故障判断手段が光照射手段が故障していると判断した場合に、光照射手段の故障をビデオコントローラに報知するとともに、記録材判別を行わずに印字動作を行うことにより、安価に光照射手段の故障判断を可能にし、故障時の使い勝手を向上させることができる。
【００４３】
尚、図示はしないが、ステップ１０４の紙種判別の結果、紙種がグロス紙、ラフ紙又は普通紙のいずれかと判別された場合においても、当該判別結果と、検出された転写電流値との関係に基づいて、光照射手段の故障の有無を判断してもよい。
【００４４】
（実施例２）
以下、本発明の第２実施例を、図面を用いて説明する。
【００４５】
図４は本実施例のカラーレーザプリンタの構成図である。
【００４６】
第１実施例と異なるのは、レジストローラ対４０７の下流に、記録材３２をＥＴＢ４０９に静電吸着させるための吸着ローラ６００が設けられている点である。吸着ローラ６００には後述する高圧電源部１０６に設けられた吸着高圧電源６１０によって高電圧が印加されているとともに、吸着電流検知回路６１１によって吸着ローラ６００へ流れる電流が検知可能となっている。
【００４７】
図５は本実施例の吸着高圧電源６１０のブロック図である。
【００４８】
図５において、高圧電源部１０６には定電圧電源である吸着高圧電源６１０が設けられており、ＤＣコントローラ１１０に配設されたＣＰＵ２０７のＤ／Ａポート２０７ｅからの電圧制御信号（ＶｃｎｔＥ）に応じた電圧を吸着ローラ６００に供給する。また吸着高圧電源６１０には吸着電流検知回路６１１が接続されており、吸着高圧電源６１０から出力される電流値を検出し、検出電流に応じた電圧を電流検知信号（ＩｓｎｓＥ）としてＣＰＵ２０７のＡ／Ｄポート２０７ｆに送出している。
【００４９】
次に光照射手段たるＬＥＤ３３の故障判別制御について図６のフローチャートを用いて説明する。
【００５０】
第１実施例と異なる点は、ステップ１０４において、紙種判別結果がＯＨＴシートであった場合に、ステップ２０９において、吸着ローラ６００の位置に記録材３２が搬送されるまで待機し、ステップ２１０において、吸着ローラ６００位置に記録材３２が到達した時点でＩｓｎｓＥ信号によって吸着電流Ｉｅを検出し、ステップ２１１において、検出した吸着電流値Ｉｅと所定値Ｉｏｈｔ（ＯＨＴシートの場合の通常の吸着電流値）とを比較判断している点である。吸着電流Ｉｔの値が所定電流値Ｉｏｈｔより大きい場合には記録材が実際にはＯＨＴシート以外であるために記録材を介して吸着電流が多く流れており、ステップ１０４での紙種判別がＯＨＴシートとなったのはＬＥＤ３３の照射光量が所定光量になっていないため、すなわちＬＥＤ３３が故障しているためと判断し、ステップ１１２でＬＥＤ３３の状態を故障状態（ＥＲＲ＿ＬＥＤ＝１）とする。
【００５１】
尚、吸着電圧を利用することにより、より早いタイミングでＬＥＤ３３の故障判断が可能となり、印字モードの切り替えを早期に行うことが可能となる。
【００５２】
尚、図示はしないが、ステップ１０４の紙種判別の結果、紙種がグロス紙、ラフ紙又は普通紙のいずれかと判別された場合においても、当該判別結果と、検出された吸着電流値との関係に基づいて、光照射手段の故障の有無を判断してもよい。
【図面の簡単な説明】
【００５３】
【図１】本発明の第１実施例に係る故障判別制御のフローチャートである。
【図２】本発明の第１実施例に係るカラーレーザプリンタの構成図である。
【図３】本発明の第１実施例に係る転写高圧電源のブロック図である。
【図４】本発明の第２実施例に係るカラーレーザプリンタの構成図である。
【図５】本発明の第２実施例に係る吸着高圧電源のブロック図である。
【図６】本発明の第２実施例に係る故障判別制御のフローチャートである。
【図７】映像読取センサの従来例を説明する図である。
【図８】撮影画像の従来例を説明する図である
【図９】ＯＨＴシート撮影画像の従来例を説明する図である。
【符号の説明】
【００５４】
３１  記録材搬送ガイド
３２  記録材
３３  ＬＥＤ
３４  ＣＭＯＳセンサ
３５、３６  結像レンズ
４０  ラフ紙の表面拡大映像
４１  普通紙の表面拡大映像
４２  グロス紙の表面拡大映像
１０２  現像ローラ
１０３  帯電ローラ
１０５  感光ドラム
１０６  高圧電源部
１１０  ＤＣコントローラ
１２３  映像読取センサ
２０７  ＣＰＵ
２０７ｅ  Ｄ／Ａポート
２０７ｆ  Ａ／Ｄポート
４０１  カラーレーザプリンタ
４０２  デッキ
４０３  デッキ紙有無センサ
４０４  ピックアップローラ
４０５  デッキ給紙ローラ
４０６  リタードローラ
４０７  レジストローラ対
４０８  レジ前センサ
４０９  静電吸着搬送転写ベルト（ＥＴＢ）
４１０  プロセスカートリッジ
４１１  トナー格納容器
４２０  スキャナーユニット
４２１  レーザユニット
４２２  ポリゴンミラー
４２３  スキャナモータ
４２４  結像レンズ群
４３０  転写ローラ
４３２  加熱用のヒータ
４３３  定着ローラ
４３４  加圧ローラ対
４３５  定着排紙ローラ対
４３６  定着排紙センサ
４４０  ビデオコントローラ
４４１  ホストコンピュータ
５００  転写高圧電源
５０１  転写電流検知回路
６００  吸着ローラ
６１０  吸着高圧電源
６１１  吸着電流検知回路
【図１】
2006201607.tif 000003
【図２】
2006201607.tif 000004
【図３】
2006201607.tif 000005
【図４】
2006201607.tif 000006
【図５】
2006201607.tif 000007
【図６】
2006201607.tif 000008
【図７】
2006201607.tif 000009
【図８】
2006201607.tif 000010
【図９】
2006201607.tif 000011